(57)【要約】【課題】ハウジングに収容している端子金具の先端部の挿入方向と直交する方向へのガタ付きを、当該端子金具の複雑化や大型化を招かずに、抑止することができ、しかも、収容している端子金具の導通検査を容易にすると共に導通検査によって端子本体部内を損傷させるおそれのないコネクタを提供すること。【解決手段】ハウジング２０の端子収容孔２１１に収容される端子金具１０は、略角筒状の端子本体部１１の前端の周縁部に、当該端子金具１０の挿入方向に沿って突出したガタ止め用突片１８を備え、端子本体部１１の前端の周縁部が当接するハウジング２０の前端壁２１２には、ガタ止め用突片１８が嵌合可能で、ガタ止め用突片１８の嵌合により端子金具１０の挿入方向と直交する方向への移動を規制する端子係止孔２１５を、貫通形成する。【選択図】図９
2014238942.tif 000002
【特許請求の範囲】
【請求項１】
前端側に略角筒状の端子本体部を備えた金属板製の端子金具と、前記端子金具を収容する樹脂製のハウジングと、を備え、前記ハウジングは、前記端子金具が挿入される端子収容孔と、該端子収容孔の前端に形成されて前記端子本体部の前端の周縁部が突き当たる前端壁と、前記端子収容孔に臨んで配置されて前記端子収容孔に挿入された前記端子金具を抜け止めする端子係止ランスと、前記端子収容孔内の前記端子金具と外部の相手端子金具との接続のために前記前端壁に貫通形成されたタブ端子挿通孔と、を備えるコネクタであって、
前記端子本体部の前端の周縁部には、前記端子金具の挿入方向に沿って前記前端壁側に突出したガタ止め用突片を備え、
前記前端壁には、前記ガタ止め用突片が嵌合可能で、前記ガタ止め用突片の嵌合により前記端子金具の挿入方向と直交する方向への移動を規制する端子係止孔が、貫通形成されていることを特徴とするコネクタ。
【請求項２】
前記端子金具は、雌端子金具であり、前記端子本体部が前記相手端子金具のタブ端子部が嵌合する嵌合部であることを特徴とする請求項１に記載のコネクタ。
【請求項３】
前記端子金具は、雄端子金具であり、前記端子本体部の前端に、前記タブ端子挿通孔を挿通するタブ端子部が突設されていることを特徴とする請求項１に記載のコネクタ。
【発明の詳細な説明】
【技術分野】
【０００１】
本発明は、前端側に略角筒状の端子本体部を備えた金属板製の端子金具と、前記端子金具を収容する樹脂製のハウジングと、を備えるコネクタに関する。
【背景技術】
【０００２】
図１２は、下記特許文献１に開示されたコネクタを示している。
図１２のコネクタ１００は、金属板製の雌端子金具１１０と、この雌端子金具１１０を収容する樹脂製のハウジング１２０と、該ハウジング１２０の接続相手となる樹脂製の第２ハウジング１３０と、を備えている。
【０００３】
雌端子金具１１０は、略角筒状の端子本体部１１１と、該端子本体部１１１の後端に連なる電線接続部１１２と、を備えている。端子本体部１１１は、当該雌端子金具１１０の前端に位置している。この端子本体部１１１は、当該雌端子金具１１０の接続相手となる雄端子金具のタブ端子部１４１が嵌合する部位である。端子本体部１１１の内部には、タブ端子部１４１を挟持する複数の接点用ばね片１１１ａが配置されている。また、端子本体部１１１の後端には、ハウジング１２０の端子係止ランスが係合する段差部１１１ｂが設けられている。
【０００４】
電線接続部１１２は、電線１５０を接続する部位である。この電線接続部１１２は、電線１５０をその外被１５１の上から押さえる外被固定片１１２ａと、電線１５０の芯線１５２に加締め付けられる芯線固定片１１２ｂと、を備えている。
【０００５】
ハウジング１２０は、雌端子金具１１０が挿入される端子収容孔１２１と、該端子収容孔１２１の前端に形成された前端壁１２２と、端子収容孔１２１に臨んで配置された端子係止ランス１２３と、前端壁１２２に貫通形成されたタブ端子挿通孔１２４と、を備えている。
【０００６】
端子収容孔１２１は、ハウジング１２０の後端（図１２では、右端）に開放した孔で、ハウジング１２０の後方から雌端子金具１１０が挿入される。
【０００７】
前端壁１２２は、端子本体部１１１の前端の周縁部が突き当たる壁部で、雌端子金具１１０の前端を位置決めする。
【０００８】
端子係止ランス１２３は、端子収容孔１２１に沿って延出した弾性片１２３ａと、端子収容孔１２１内に突出するように弾性片１２３ａに突設された係止突起１２３ｂと、を備えている。この端子係止ランス１２３は、係止突起１２３ｂを雌端子金具１１０の段差部１１１ｂに係合させることで、端子収容孔１２１に挿入された雌端子金具１１０を抜け止めする。
【０００９】
タブ端子挿通孔１２４は、端子本体部１１１に嵌合接続させる相手端子金具のタブ端子部１４１が挿通する孔である。
【００１０】
第２ハウジング１３０は、タブ端子部１４１を有する雄端子金具を保持している。また、第２ハウジング１３０は、外周に、ハウジング１２０のロックアーム１２６と係合するアーム係合部１３１を有している。
【先行技術文献】
【特許文献】
【００１１】
【特許文献１】特開２００４−１３９８７５号公報
【発明の概要】
【発明が解決しようとする課題】
【００１２】
ところで、特許文献１におけるハウジング１２０は、端子収容孔１２１に臨んで端子係止ランス１２３を装備するタイプである。このようなタイプのハウジング１２０の場合、端子係止ランス１２３を成形する金型の抜きを確保する関係で、端子係止ランス１２３の先方に位置する部位には、端子本体部１１１の動きを規制する隔壁を装備することができない。そのため、端子係止ランス１２３により係止された端子本体部１１１の先端側の一側（端子係止ランス１２３が装備されている側）には、空隙１７０が残る。そのため、外部からの振動の影響で、端子本体部１１１の先端側に、当該雌端子金具１１０の挿入方向と直交する方向（図１２の矢印Ｘ１方向）へのガタ付きが発生するおそれがある。
【００１３】
雌端子金具１１０のガタ付きは、タブ端子部１４１との接触部の摺動を招き、接触部の摩耗による接続性能の低下を招くおそれがある。
【００１４】
そこで、特許文献１のコネクタ１００の場合は、端子本体部１１１内に装備する接点用ばね片１１１ａの数量を複数に増やして、タブ端子部１４１との結合力を強化することで、端子本体部１１１の挿入方向と直交する方向へのガタ付きを抑制するようにしている。
【００１５】
しかし、このような対応では、雌端子金具１１０の構造が複雑化するという問題が生じる。
【００１６】
一方、ハウジング１２０内における端子本体部１１１のガタ付きを抑制する方法としては、例えば、端子本体部１１１の両側部に、当該雌端子金具１１０のハウジング１２０への挿入方向に沿って延在するガイド片を突設し、更に、端子収容孔１２１の一対の隔壁には、前記ガイド片が摺動可能に嵌合するガイド溝を設けることも考えられる。
【００１７】
しかし、このような対応では、端子本体部１１１の両側に突出するガイド片のために、雌端子金具１１０が大型化するという問題が生じる。
【００１８】
また、特許文献１のコネクタ１００では、ハウジング１２０に収容した雌端子金具１１０の導通検査の際には、導通検査用のプローブピンをハウジング１２０のタブ端子挿通孔１２４に挿入して、プローブピンを端子本体部１１１に接触させるが、その際に、端子本体部１１１内の接点用ばね片１１１ａを傷つけるおそれがあった。
【００１９】
そこで、本発明の目的は、上記課題を解消することに係り、ハウジングに収容している端子金具の先端部の挿入方向と直交する方向へのガタ付きを、当該端子金具の複雑化や大型化を招かずに、抑止することができ、しかも、収容している端子金具の導通検査を容易にすると共に導通検査によって端子本体部内を損傷させるおそれのないコネクタを提供することにある。
【課題を解決するための手段】
【００２０】
本発明の前述した目的は、下記の構成により達成される。
（１）  前端側に略角筒状の端子本体部を備えた金属板製の端子金具と、前記端子金具を収容する樹脂製のハウジングと、を備え、前記ハウジングは、前記端子金具が挿入される端子収容孔と、該端子収容孔の前端に形成されて前記端子本体部の前端の周縁部が突き当たる前端壁と、前記端子収容孔に臨んで配置されて前記端子収容孔に挿入された前記端子金具を抜け止めする端子係止ランスと、前記端子収容孔内の前記端子金具と外部の相手端子金具との接続のために前記前端壁に貫通形成されたタブ端子挿通孔と、を備えるコネクタであって、
前記端子本体部の前端の周縁部には、前記端子金具の挿入方向に沿って前記前端壁側に突出したガタ止め用突片を備え、
前記前端壁には、前記ガタ止め用突片が嵌合可能で、前記ガタ止め用突片の嵌合により前記端子金具の挿入方向と直交する方向への移動を規制する端子係止孔が、貫通形成されていることを特徴とするコネクタ。
【００２１】
（２）  前記端子金具は、雌端子金具であり、前記端子本体部が前記相手端子金具のタブ端子部が嵌合する嵌合部であることを特徴とする上記（１）に記載のコネクタ。
【００２２】
（３）  前記端子金具は、雄端子金具であり、前記端子本体部の前端に、前記タブ端子挿通孔を挿通するタブ端子部が突設されていることを特徴とする上記（１）に記載のコネクタ。
【００２３】
上記（１）の構成によれば、ハウジングの端子収容孔に挿入された端子金具は、端子本体部の前端の周縁部に突設した突片が、ハウジングの前端壁に貫通形成された端子係止孔に係合することで、当該端子収容孔への挿入方向と直交する方向への移動が規制され、当該端子収容孔への挿入方向と直交する方向への端子本体部のガタ付きが抑止される。従って、ガタ付きの抑止のために、相手端子金具との嵌合部の接点用ばね片の装備数を増やすような対応は不要である。また、ガタ付きの抑止のために、端子本体部の両側にガイド片を突設するような対応も不要である。
【００２４】
従って、ハウジングに収容している端子金具の先端部のガタ付きを、当該端子金具の複雑化や大型化を招かずに、抑止することができる。
【００２５】
しかも、端子本体部の前端の突片が嵌合するハウジングの端子係止孔は、ハウジングの前端壁を貫通している。そのため、ハウジングに収容されている端子金具の導通検査は、ハウジングの端子係止孔に導通検査用のプローブピンを挿入することで、簡単に実施することができ、プローブピンを直接端子本体部内に挿入する必要がない。
【００２６】
従って、収容している端子金具の導通検査を容易にすると共に、導通検査によって端子本体部内を損傷させるおそれがない。
【００２７】
上記（２）の構成によれば、ハウジングの端子収容孔に収容される端子金具は、雌端子金具で、相手端子金具のタブ端子部が嵌合する嵌合部である端子本体部内には、当該端子本体部内に挿入されるタブ端子部を挟持する接点用ばね片を装備する必要がある。しかし、当該端子金具の端子本体部の挿入方向と直交する方向へのガタ付きは、端子本体部の前端の周縁部に突設した突片とハウジングの前端壁に貫通形成された端子係止孔との係合によって抑止される。
【００２８】
そのため、端子本体部内に装備する接点用ばね片の数量の増加によってガタ付きの抑止を図る必要がなく、端子本体部内に装備する接点用ばね片を単一にして、雌端子金具の構造を単純化することができる。
【００２９】
上記（３）の構成によれば、雄端子金具であるが、タブ端子部が突設される略角筒状の端子本体部の前端に、ガタ止め用突片が突設されている。そのため、ハウジングの端子収容孔に挿入した際には、ガタ止め用突片がハウジングの前端壁の端子係止孔に嵌合する。このガタ止め用突片と端子係止孔との嵌合によって、端子本体部の前端がしっかりとハウジングに固定されて、当該端子金具の挿入方向と直交する方向へのガタ付きが抑止される。
【発明の効果】
【００３０】
本発明によるコネクタによれば、ハウジングに収容している端子金具の先端部の挿入方向と直交する方向へのガタ付きを、当該端子金具の複雑化や大型化を招かずに、抑止することができる。しかも、収容している端子金具の導通検査を容易にすると共に、導通検査によって端子本体部内を損傷させるおそれも無くすことができる。
【００３１】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００３２】
【図１】図１は本発明に係るコネクタの第１実施形態における雌端子金具の斜視図である。
【図２】図２は図１に示した雌端子金具の側面図である。
【図３】図３は図１のＡ部の拡大図である。
【図４】図４は本発明の第１実施形態におけるハウジングの正面図である。
【図５】図５は図４のＢ−Ｂ線に沿う断面図である。
【図６】図６は図５のＣ部の拡大図である。
【図７】図７は本発明の第１実施形態のコネクタの正面図である。
【図８】図８は図７のＤ−Ｄ線に沿う断面図である。
【図９】図９は図８のＥ部の拡大図である。
【図１０】図１０は本発明に係るコネクタで使用する端子金具の第２実施形態の側面図である。
【図１１】図１１は図１０のＦ矢視図である。
【図１２】図１２は従来のコネクタの縦断面図である。
【発明を実施するための形態】
【００３３】
以下、本発明に係るコネクタの好適な実施形態について、図面を参照して詳細に説明する。
【００３４】
［第１実施形態］
図１〜図９は本発明に係るコネクタの第１実施形態を示したもので、図１は本発明に係るコネクタの第１実施形態における雌端子金具の斜視図、図２は図１に示した雌端子金具の側面図、図３は図１のＡ部の拡大図、図４は本発明の第１実施形態におけるハウジングの正面図、図５は図４のＢ−Ｂ線に沿う断面図、図６は図５のＣ部の拡大図、図７は本発明の第１実施形態のコネクタの正面図、図８は図７のＤ−Ｄ線に沿う断面図、図９は図８のＥ部の拡大図である。
【００３５】
この第１実施形態のコネクタ１は、図１〜図３に示す金属製の雌端子金具１０と、図４〜図６に示す樹脂製のハウジング２０と、を備えている。
【００３６】
本実施形態の雌端子金具１０は、金属板のプレス成形品で、略角筒状の端子本体部１１と、電線の芯線を圧着する芯線加締め片１２と、電線の被覆部の上に加締め付けられて電線を固定する被覆加締め片１３と、を備えている。
【００３７】
端子本体部１１は、不図示の雄端子金具のタブ端子部が嵌合する嵌合部である。この端子本体部１１は、その内部に、図９に示すように、接点用ばね片１１ｄを有している。接点用ばね片１１ｄは、端子本体部１１の底面板１１ａの前端から延出した金属片を折曲したものである。接点用ばね片１１ｄは、端子本体部１１の上面板１１ｂ側に隆起形成した端子接触面１１ｅ（図９参照）との間にタブ端子部を挟持することで、相手端子金具との間の導通接続を実現する。
【００３８】
また、端子本体部１１の底面板１１ａには、図９に示すように、後述の端子係止ランス２１３が係合するランス嵌入孔１６が装備されている。
【００３９】
ランス嵌入孔１６は、図９に示すように、端子係止ランス２１３の係止突起が嵌入する開口である。ハウジング２０の端子収容孔２１１に挿入された雌端子金具１０は、このランス嵌入孔１６に端子係止ランス２１３の係止突起が嵌入することで、抜け止めされる。
【００４０】
本実施形態の雌端子金具１０は、図３に示すように、角筒状の端子本体部１１の前端の周縁部に、ガタ止め用突片１８が設けられている。
【００４１】
このガタ止め用突片１８は、端子本体部１１の上面板１１ｂの前端から延出した突片である。このガタ止め用突片１８の延出方向は、当該雌端子金具１０のハウジング２０への挿入方向に沿っている。即ち、ガタ止め用突片１８は、端子本体部１１の前端から、後述するハウジング２０の前端壁側に突出している。このガタ止め用突片１８は、図３に示すように、幅Ｗ１が１．００ｍｍ、挿入方向に沿う突出寸法ｈ１が０．５ｍｍに設定されている。このガタ止め用突片１８は、後述するハウジング２０の端子係止孔に係合することで、当該雌端子金具１０の挿入方向と直交する方向への移動を規制する。
【００４２】
本実施形態のハウジング２０は、図４〜図６に示すように、雌端子金具１０を収容する端子収容孔２１１と、前端壁２１２と、端子係止ランス２１３と、タブ端子挿通孔２１４と、端子係止孔２１５と、を備えている。
【００４３】
端子収容孔２１１は、図５に示すように、ハウジング２０の後端部に開放していて、ハウジング２０の後方から雌端子金具１０が挿入される。
【００４４】
前端壁２１２は、端子本体部１１の前端の周縁部が突き当たるように、端子収容孔２１１の前端に形成された壁部である。端子収容孔２１１に挿入された雌端子金具１０は、その端子本体部１１の前端が前端壁２１２に突き当たることで、先端位置が位置決めされる。
【００４５】
端子係止ランス２１３は、図５に示すように、雌端子金具１０の底面板１１ａと対向する端子収容孔２１１の一側面（図５では、上側の面）に、装備されている。即ち、端子係止ランス２１３は、端子収容孔２１１の一側面から端子収容孔２１１に臨んで配置されている。この端子係止ランス２１３は、端子収容孔２１１への雌端子金具１０の挿入方向に沿って延在する弾性片２１３ａと、この弾性片２１３ａの先端から端子収容孔２１１内に突出した係止突起２１３ｂと、を備えている。
【００４６】
この端子係止ランス２１３は、雌端子金具１０の挿入途中では、雌端子金具１０の底面板１１ａとの干渉によって端子収容孔２１１の外側（図８では、矢印Ｘ３側）に弾性変位し、雌端子金具１０の挿入が完了した時には弾性復元力で係止突起２１３ｂが端子収容孔２１１内に突出した状態に戻って、図８に示すように、係止突起２１３ｂが雌端子金具１０のランス嵌入孔１６と係合した状態になり、雌端子金具１０を抜け止めする。
【００４７】
タブ端子挿通孔２１４は、端子収容孔２１１内の雌端子金具１０と外部の相手端子金具との接続のために、前端壁２１２に貫通形成された開口である。このタブ端子挿通孔２１４は、外部の雄端子金具のタブ端子部（不図示）が挿通可能である。
【００４８】
端子係止孔２１５は、図４〜図６に示すように、端子収容孔２１１への雌端子金具１１０の挿入方向（図５の矢印Ｘ２方向）に沿って、前端壁２１１ｂに貫通形成されている。この端子係止孔２１５は、図４に示すように、幅Ｗ２が１．２ｍｍ、高さｔが０．５０ｍｍの開口で、雌端子金具１１０のガタ止め用突片１８が嵌合可能に寸法設定されている。
【００４９】
本実施形態の端子係止孔２１５は、図７に示すように、端子収容孔２１１に挿入された雌端子金具１０のガタ止め用突片１８が係合することで、雌端子金具１０の挿入方向と直交する方向（図８では、矢印Ｘ４方向）への移動を規制する。
【００５０】
以上に説明した第１実施形態のコネクタ１の場合、雌端子金具１０をハウジング２０の端子収容孔２１１に挿入した際に、図８及び図９に示すように、雌端子金具１０の前端に突設されたガタ止め用突片１８が、ハウジング２０に形成されている端子係止孔２１５に嵌合することで、雌端子金具１０の挿入方向と直交する方向への移動が規制されて、当該端子収容孔２１１への挿入方向と直交する方向への端子本体部１１のガタ付きが抑止される。従って、ガタ付きの抑止のために、相手端子金具との嵌合部の接点用ばね片の装備数を増やすような対応は不要である。また、ガタ付きの抑止のために、端子本体部１１の両側にガイド片を突設するような対応も不要である。
【００５１】
従って、ハウジング２０に収容している雌端子金具１０の先端部のガタ付きを、当該雌端子金具１０の複雑化や大型化を招かずに、抑止することができる。
【００５２】
しかも、端子本体部１１の前端のガタ止め用突片１８が嵌合するハウジング２０の端子係止孔２１５は、ハウジング２０の前端壁２１２を貫通している。そのため、ハウジング２０に収容されている雌端子金具１０の導通検査は、図９に矢印Ｙ１で示すように、ハウジング２０の端子係止孔２１５に導通検査用のプローブピン４０を挿入することで、簡単に実施することができ、プローブピン４０を直接端子本体部１１内に挿入する必要がない。
【００５３】
従って、収容している雌端子金具１０の導通検査を容易にすると共に、導通検査によって端子本体部１１内を損傷させるおそれがない。
【００５４】
また、第１実施形態のコネクタ１の場合、ハウジング２０の端子収容孔２１１に収容される端子金具は、雌端子金具１０であり、相手端子金具のタブ端子部が嵌合する嵌合部である端子本体部１１内には、当該端子本体部１１内に挿入されるタブ端子部を挟持する接点用ばね片１１ｄを装備する必要がある。
【００５５】
しかし、当該雌端子金具１０の端子本体部１１の挿入方向と直交する方向へのガタ付きは、端子本体部１１の前端の周縁部に突設したガタ止め用突片１８とハウジング２０の前端壁２１２に貫通形成された端子係止孔２１５との係合によって抑止される。
【００５６】
そのため、端子本体部１１内に装備する接点用ばね片１１ｄの数量の増加によってガタ付きの抑止を図る必要がなく、端子本体部１１内に装備する接点用ばね片１１ｄを単一にして、雌端子金具１０の構造を単純化することができる。
【００５７】
［第２実施形態］
図１０及び図１１は本発明に係るコネクタで使用する端子金具の第２実施形態を示したもので、図１０は第２実施形態の端子金具の側面図、図１１は図１０のＦ矢視図である。
【００５８】
この第２実施形態の端子金具は、雄端子金具１０Ａである。この雄端子金具１０Ａは、略角筒状の端子本体部１１の前端に、タブ端子部１５が突設されている。タブ端子部１５は、当該雄端子金具１０Ａをハウジング２０の端子収容孔２１１に挿入した際に、ハウジング２０の前端壁２１２に形成されたタブ端子挿通孔２１４を挿通して、ハウジング２０の外部に突出する。
【００５９】
この第２実施形態に示した雄端子金具１０Ａの場合も、端子本体部１１の前端の周縁部には、第１実施形態の雌端子金具１０の場合と同様に、ガタ止め用突片１８が装備されている。また、端子本体部１１の後端には、第１実施形態の雌端子金具１０の場合と同様に、芯線加締め片１２と被覆加締め片１３とが装備されている。
【００６０】
この第２実施形態の雄端子金具１０Ａは、図４〜図６に示したハウジング２０の端子収容孔２１１に挿入すると、先端部のタブ端子部１５が、ハウジング１２０のタブ端子挿通孔２１４を挿通する。また、端子収容孔２１１に収容された雄端子金具１０Ａは、端子本体部１１の前端のガタ止め用突片１８がハウジング２０の端子係止孔２１５に嵌合すると共に、端子本体部１１の底面板１１ａのランス嵌入孔１６（図１０参照）にハウジング２０の端子係止ランス２１３が係合して、端子収容孔２１１に保持される。
【００６１】
この第２実施形態の雄端子金具１０Ａは、雄端子金具であるが、タブ端子部１５が突設される略角筒状の端子本体部１１の前端に、ガタ止め用突片１８が突設されている。そのため、ハウジング２０の端子収容孔２１１に挿入した際には、ガタ止め用突片１８がハウジング２０の前端壁２１２の端子係止孔２１５に嵌合する。このガタ止め用突片１８と端子係止孔２１５との嵌合によって、端子本体部１１の前端がしっかりとハウジング２０に固定されて、当該端子金具の挿入方向と直交する方向へのガタ付きが抑止される。
【００６２】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００６３】
ここで、上述した本発明に係るコネクタの実施形態の特徴をそれぞれ以下［１］〜［３］に簡潔に纏めて列記する。
【００６４】
［１］  前端側に略角筒状の端子本体部（１１）を備えた金属板製の端子金具（１０）と、前記端子金具（１０）を収容する樹脂製のハウジング（２０）と、を備え、前記ハウジング（２０）は、前記端子金具（１０）が挿入される端子収容孔（２１１）と、該端子収容孔（２１１）の前端に形成されて前記端子本体部（１１）の前端の周縁部が突き当たる前端壁（２１２）と、前記端子収容孔（２１１）に臨んで配置されて前記端子収容孔（２１１）に挿入された前記端子金具（１０）を抜け止めする端子係止ランス（２１３）と、前記端子収容孔（２１１）内の前記端子金具（１０）と外部の相手端子金具との接続のために前記前端壁（２１２）に貫通形成されたタブ端子挿通孔（２１４）と、を備えるコネクタ（１）であって、
前記端子本体部（１１）の前端の周縁部には、前記端子金具（１０）の挿入方向に沿って前記前端壁（２１２）側に突出したガタ止め用突片（１８）を備え、
前記前端壁（２１２）には、前記ガタ止め用突片（１８）が嵌合可能で、前記ガタ止め用突片（１８）の嵌合により前記端子金具（１０）の挿入方向と直交する方向への移動を規制する端子係止孔（２１５）が、貫通形成されていることを特徴とするコネクタ（１）。
【００６５】
［２］  前記端子金具（１０）は、雌端子金具（１０）であり、前記端子本体部（１１）が前記相手端子金具のタブ端子部が嵌合する嵌合部であることを特徴とする上記［１］に記載のコネクタ（１）。
【００６６】
［３］  前記端子金具（１０）は、雄端子金具（１０Ａ）であり、前記端子本体部（１１）の前端に、前記タブ端子挿通孔（２１４）を挿通するタブ端子部（１５）が突設されていることを特徴とする上記［１］に記載のコネクタ（１）。
【符号の説明】
【００６７】
１０  雌端子金具（端子金具）
１０Ａ  雄端子金具（端子金具）
１１  端子本体部
１５  タブ端子部
１８  ガタ止め用突片
２０  ハウジング
２１１  端子収容孔
２１２  前端壁
２１３  端子係止ランス
２１４  タブ端子挿通孔
２１５  端子係止孔
【図１】
2014238942.tif 000003
【図２】
2014238942.tif 000004
【図３】
2014238942.tif 000005
【図４】
2014238942.tif 000006
【図５】
2014238942.tif 000007
【図６】
2014238942.tif 000008
【図７】
2014238942.tif 000009
【図８】
2014238942.tif 000010
【図９】
2014238942.tif 000011
【図１０】
2014238942.tif 000012
【図１１】
2014238942.tif 000013
【図１２】
2014238942.tif 000014